(57)【要約】【課題】  商品流通過程での無断使用を防止するために、縦型ポンプ式容器へ嵌合させた、キャップ形状のカバーへ、縦断可能な分割手段を設けてカバーを分割しなければポンプ使用が不能とした。【解決手段】  縦型ポンプ式容器１の上部を覆合させたカバー21の下端部へ、容器体２に設けた外向きフランジ2a下面へ離脱不能に係合させて係合突条27を付設させ、又カバーには、該カバーを前後ないし左右方向へ二等分ないし展開状態に拡開できる分割手段を付設させた。【選択図】  図２
2005313979.tif 000002
【特許請求の範囲】
【請求項１】
容器体内へ垂下されたシリンダ内から、上方付勢させて作動部材８を起立する縦型ポンプ式容器において、該容器の上部を覆合させて、筒壁下端へ付設した係合突条27を、容器体外面へ設けた外向きフランジ2a下面へ離脱不能に係合させたキャップ状のカバー21を設け、該カバーには、カバーを縦方向へほぼ二等分ないし一部を連結部として拡開可能な分割手段を設けた
ことを特徴とする縦型ポンプ容器用封緘式カバー。
【請求項２】
上記分割手段を、カバー壁に穿設した破断用弱化線で形成した
ことを特徴とする請求項１記載の縦型ポンプ容器用封緘式カバー。
【請求項３】
上記分割手段を、小間隙を隔ててほぼ平行にカバーへ穿設した二本の破断用弱化線33と、これ等破断用弱化線間のカバー壁部分から破断用帯状部36を起立した
ことを特徴とする、請求項１記載の縦型ポンプ容器用封緘式カバー。
【請求項４】
上記カバー21を、左右連結分割体41の分割面突合せで形成可能となし、かつ左右分割体連結部を形成するヒンジ43を中心とする揺動による開閉で上記左右連結分割体形状とカバー形状とに変化させることが可能となし、又上記ヒンジ43を有しない側の両連結分割体の分割面外側には分割面開閉用のフック係合機構46を、又連結分割体の一方分割体からは係合状態でのフック係合機構を覆合させる覆合帯49を、破断用弱化線48を介して突設した
ことを特徴とする、請求項１記載の縦型ポンプ容器用封緘式カバー。
【請求項５】
カバー周壁の下部へ、破断用弱化線29を周設した
ことを特徴とする、請求項１、２、３又は４記載の縦型ポンプ容器用封緘式カバー。
【発明の詳細な説明】
【技術分野】
【０００１】
本発明は縦型ポンプ容器用封緘式カバーに関する。
【背景技術】
【０００２】
縦型ポンプ容器に封緘機能を具備させた容器として、そのポンプの作動部材を付勢に抗し押下げて、作動部材上端の押下げヘッド直下部分をシリンダ上端に設けた螺筒へねじ込み、該作動部材押下げ状態で押下げヘッドを筒状カバーで取外し不能に囲み、該カバーに設けた破断用弱化部を破損しなければ押下げヘッドを上記螺筒から螺脱させて、作動部材を上方へ起立させることが不能とした容器が知られている（特許文献１）。
【特許文献１】実開平３−９０６５８号公報
【発明の開示】
【発明が解決しようとする課題】
【０００３】
上記容器は、容器体口頸部へ螺合させてシリンダを容器体内へ垂下する装着筒上方に上記カバーを装着させていたから、作動部材上下動によるポンプ操作は不能であるものの、装着筒を容器体口頸部から外すと、シリンダと共に作動部材を容器体から外すことが出来、よってこのような方法で容器体内液体を不正使用されるおそれがあった。
【０００４】
本発明は、そのような問題を除去するものであり、上記作動部材を付勢に抗し押下げ、ないし押下げないまま容器上部へキャップ状のカバーを嵌合させ、該カバーへ左右ないし前後両方へ二分ないし一部を連結部として残して拡開可能な分割手段を設けて封緘機能を持たせたものである。
【課題を解決するための手段】
【０００５】
第１の手段として容器体内へ垂下されたシリンダ内から、上方付勢させて作動部材８を起立する縦型ポンプ式容器において、該容器の上部を覆合させて、筒壁下端へ付設した係合突条27を、容器体外面へ設けた外向きフランジ2a下面へ離脱不能に係合させたキャップ状のカバー21を設け、該カバーには、カバーを縦方向へほぼ二等分ないし一部を連結部として拡開可能な分割手段を設けた。
【０００６】
第２の手段として、上記第１の手段を有すると共に上記分割手段を、カバー壁に穿設した破断用弱化線で形成した。
【０００７】
第３の手段として、上記第１の手段を有すると共に上記分割手段を、小間隙を隔ててほぼ平行にカバーへ穿設した二本の破断用弱化線33と、これ等破断用弱化線間のカバー壁部分から破断用帯状部36を起立した。
【０００８】
第４の手段として、上記第１の手段を有すると共に上記カバー21を、左右連結分割体41の分割面突合せで形成可能となし、かつ左右分割体連結部を形成するヒンジ43を中心とする分割体揺動による開閉で上記左右連結分割体形状とカバー形状とに変化させることが可能となし、又上記ヒンジ43を有しない側の両連結分割体の分割面外側には分割面開閉用のフック係合機構46を、又連結分割体の一方分割体からは係合状態でのフック係合機構を覆合させる覆合帯49を、破断用弱化線48を介して突設した。
【０００９】
第５の手段として、上記第１、第２、第３、又は第４の手段を有すると共にカバー周壁の下部へ、破断用弱化線29を周設した。
【発明の効果】
【００１０】
請求項１記載のようにすることで、カバー嵌合状態ではカバーが邪魔となるため作動部材８の押下げが不能であり、その押下げのためにはカバーを分割ないし一部を連結部として残して拡開して除去しなければならないため、その不正使用を防止できる。図示例のようにカバー筒壁にノズル９を貫通させた場合はノズル貫通部分付き分割体部分をノズル突出方向に沿って抜出しすればよい。
【００１１】
請求項２のようにすることで、請求項１効果のほか、カバーの分割を容易に行うことが出来る。
【００１２】
請求項３のようにすることで、請求項１の効果のほか、二本の破断用弱化線33,33 間の間隙を狭くすることで、それ等両線間のカバー壁部分の上方剥離が容易となり、カバーの分割を更に容易とすることが出来る。
【００１３】
請求項４のようにすることで、請求項１の効果のほか、カバー覆合状態から覆合帯49を破断除去し、フック44の係合を外すことで、そのカバーを左右分割体形状として容器から容易に外すことが出来る。
【００１４】
請求項５のようにすることで既述各請求項記載の効果のほか、特にカバー筒壁からノズルを貫通突出させた場合は、カバー周壁下部の破断用弱化線29が破断することとなり、不正使用防止機能を高めることが出来る。
【発明を実施するための最良の形態】
【００１５】
以下図面について説明する。１は縦型ポンプ式容器の一例を示すもので、従来公知であるため簡単に説明すると、容器体２内へ垂下されたシリンダ３は、上部外面に付設した外向きフランジ４を、容器体口頸部外面へ螺合させた装着筒５上端の内向きフランジ６で、口頸部上端面との間で挟持されている。そのシリンダ３内からは、上方付勢させて下部外面に筒状ピストン７を有する作動部材８を起立させており、その作動部材上端にはノズル９付きの押下げヘッド10が嵌合されている。図示例においてその作動部材８は、付勢に抗して押下げられ、押下げヘッドの直ぐ下方部分をシリンダ上部へ嵌合させた螺筒11へ螺合させてある。
【００１６】
図示例ではカバー21を嵌合させているが、該カバーを外した状態から更に作動部材を螺筒11から外すと、筒状ピストン７をシリンダ上部内へ移動させて作動部材上部はシリンダ上方へ起立し、該起立状態からの作動部材上下動で、容器体内液体がシリンダ内へ吸上げられ、かつ該シリンダ内液体がノズル９から噴出するよう設けてある。
【００１７】
本発明は上記カバー21に関するもので、該カバーに封緘機能を持たせたものである。
【００１８】
まず図１と図２とが示す第１実施形態について説明すると、カバー筒壁に穿設した透孔22からノズル９を突出させてキャップ形状のカバー21で押下げヘッド10、螺筒11、装着筒５を覆合させ、容器上部へ嵌合させている。
【００１９】
カバーは頂壁23外周から小径筒壁24を、該小径筒壁下端から外向きフランジ25を介して大径筒壁26を、それぞれ垂下し、該大径筒壁下端内面に周設した係合突条27を、容器体胴部上端に付設した外向きフランジ2a下面へ抜出し不能に係合させており、又上記小径筒壁24下端からも係合突条28を内方突出させて該係合突条を装着筒５の下端面へ係合させている。小径筒壁24の下部には、小透孔連続による破断用弱化線29を周設している。
【００２０】
該カバーは、図が示すように縦方向へほぼ二等分すべく、カバー筒壁の前後両部分の境界線沿いに破断用除去帯30を、左方筒壁下端から頂壁中央部を通って右方筒壁下端まで、その除去帯両側に破断用弱化線31を設けて形成している。その除去帯は、図示のように筒壁外面からは外方突出させ、筒壁内面に対しては凹状として、筒壁と除去帯両側との連続部を肉薄の弱化線としている。その除去帯一端は図２が示すように外方突出させて摘み片32とすることが望ましい。尚除去帯内面側には除去帯30の破断を容易とするため、係合突条27,28 を付設しないことが望ましい。
【００２１】
図３から図６は第２実施形態を示す。以下各実施形態において、カバー21の基本形状は第１実施形態の場合と同じであり、よって同一符号を付することで説明は省略する。
【００２２】
該第２実施形態にあっては、カバー筒壁の前後両部分境界線の両側に、小間隙を隔ててほぼ平行に二本の破断用弱化線33,33 を左右いずれかの筒壁部分下端から、頂壁部分を通って他方筒壁部分下端まで穿設し、それ等両弱化線間の筒壁部分から突条34を起立させ、その突条先端へフランジ35を付設して破断用帯状部36とした。そのフランジは図示のように突条先端の両側から突出させてもよく、又一方側部だけから突出させてもよい。尚図示例では上記両弱化線間の筒壁部分下面からも小突条37を内方へ突出させている。
【００２３】
図６が示すように上記破断用帯状部36の一端も延長させて摘み片38とする。
【００２４】
図７から図１１は第３実施形態を示す。
【００２５】
該第３実施形態は、既述カバー21を、図９、図１０が示すような左右連結分割体41で形成し、その分割面42相互の突合せて形成できるよう設けたものである。その分割面突合せ状態でのカバー形状を図７、図８が示す。両連結分割体41a,41a は図９が示すようにカバーを前後に二等分し、かつ左右へ展開した形状であり、それ等両分割体はヒンジ43で連結されており、そのヒンジを中心として一方分割体を揺動させることで、両分割面相互が突合せして図７、図８が示すカバー形状となるよう設けている。それ等連結両分割体は、図１１が示すようにヒンジを有しない分割面外側縁に分割面開閉用のフック44と突条45とからなるフック係合機構46を設けている。これ等は一方分割体外側縁から他方分割体の外側部上方へフック44を突出させ、その他方分割体の外側縁部から起立させた突条45へ係合させ、突条上面を越えて突出させたフック部分を指掛け部47として、該指掛け部押上げにより突条45からフック44を外すことが可能としている。又突条45を有する他方分割体からは、破断用弱化線48を介して断面Ｌ字形状の覆合帯49を起立させ、該覆合帯の水平板で係合状態にあるフック係合機構46を覆い、その覆合帯を除去しない限り、そのフック係合機構を外すことが不能としている。覆合帯の一方端部は延長させて摘み片50とする。
【００２６】
該実施形態の場合は、図１０が示すようにノズル貫通用透孔22を有する側の分割体を縦型ポンプ式容器１へ装着させた後、他半分割体をヒンジ43を中心に揺動させて各分割面相互を突合せすればよい。該突合せて上記フック係合機構46が係合して両分割体が閉じ、又そのフック係合機構を覆合帯49が覆い、両分割体の開放を防止する。
【００２７】
既述各実施形態において、各作動部材はいずれも付勢に抗し押下げし、シリンダ上端の螺筒11へ螺合させた状態でカバー21を嵌合させたが、作動部材を押下げしない状態で長く設けたカバー21を嵌合させてもよい。但し第３実施形態の場合を除き、ノズル貫通用透孔22を上下方向へ長く穿設することが必要となる。
【００２８】
既述各実施形態において、カバー21除去の際は、摘み片引上げにより除去帯30、帯状部36、覆合帯49を弱化線破断により除去し、第１、第２実施形態の場合は、二分されたカバー前半部と後半部とをそのまま前方、および後方へ抜き出し、又第３実施形態の場合はフック係合機構46を外した後、後半分割体をヒンジ43を中心に前半分割体側方へ回してそのまま左右連結分割体41を前方へ引き出しノズル９を貫通用透孔22から外す。
【００２９】
以後、押下げされた作動部材８の場合は螺筒11から螺脱させて押下げヘッド10を上昇させ、又押下げしない場合はそのまま作動部材８を押下げ操作すればよい。
【００３０】
上記各実施形態においては、ノズル９をカバー筒壁に穿設した透孔に貫通させて長く外方へ突出させたが、該ノズルを短くしてそのノズル先端がカバー内に位置するよう設けてもよい。
【図面の簡単な説明】
【００３１】
【図１】第１実施形態で示す、本発明カバー付き容器の縦断面図である。
【図２】図１容器の斜視図である。
【図３】第２実施形態で示す、カバー付き容器の断面図である。
【図４】カバー嵌合途中で示す、図３カバー付き容器の断面図である。
【図５】図４カバーの要部の拡大断面図である。
【図６】図４容器の斜視図である。
【図７】第３実施形態で示す、カバー付き容器の断面図である。
【図８】図７カバー付き容器の斜視図である。
【図９】図７カバーの展開図である。
【図１０】カバー嵌合途中を示す、図７カバー付き容器の斜視図である。
【図１１】図７カバー要部の拡大断面図である。
【符号の説明】
【００３２】
２  容器体                          2a  外向きフランジ
８  作動部材                        ９  ノズル
10  押下げヘッド                    21  カバー
23  頂壁                            24  小径筒壁
26  大径筒壁                        27  係合突条
29  破断用弱化線                    30  除去帯
31  破断用弱化線                    32  摘み片
36  破断用帯状部                    41  左右連結分割体
43  ヒンジ                          44  フック
45  突条                            46  フック係合機構
【図１】
2005313979.tif 000003
【図２】
2005313979.tif 000004
【図３】
2005313979.tif 000005
【図４】
2005313979.tif 000006
【図５】
2005313979.tif 000007
【図６】
2005313979.tif 000008
【図７】
2005313979.tif 000009
【図８】
2005313979.tif 000010
【図９】
2005313979.tif 000011
【図１０】
2005313979.tif 000012
【図１１】
2005313979.tif 000013